(57)【要約】【課題】  回路構成を簡素化でき、かつ、信号送受信時に混入するノイズの影響を低減できるワイヤレス送受信システムを提供すること。【解決手段】  ワイヤレス送受信システムは、入力信号を、第１の値および第２の値を有するパルス変調信号に変調するパルス変調手段と、該パルス変調信号をデジタル変調するデジタル変調手段と、デジタル変調された信号を受信装置に送信する送信手段とを有する送信装置と、該送信装置から、該デジタル変調された信号を受信する受信手段と、該デジタル変調された信号を該パルス変調信号に復調するデジタル復調手段とを有する受信装置とを備える。【選択図】図２
2005142695.tif 000002
【特許請求の範囲】
【請求項１】
入力信号を、第１の値および第２の値を有するパルス変調信号に変調するパルス変調手段と、
該パルス変調信号をデジタル変調するデジタル変調手段と、
デジタル変調された信号を受信装置に送信する送信手段とを有する送信装置と；
該送信装置から、該デジタル変調された信号を受信する受信手段と、
該デジタル変調された信号を該パルス変調信号に復調するデジタル復調手段とを有する受信装置と；
を備えるワイヤレス送受信システム。
【請求項２】
前記受信装置が、前記デジタル復調手段からのパルス変調信号が前記第１の値または第２の値を特定できない不定値である場合、前記第１の値または第２の値のうち、直前に出力していた値を出力する補間手段をさらに備える、請求項１に記載のワイヤレス送受信システム。
【請求項３】
前記補間手段が、
前記デジタル復調手段からのパルス変調信号が前記第１の値、第２の値または不定値のいずれであるかを特定する第１の特定信号および第２の特定信号を生成する特定部と、
該第１の特定信号および該第２の特定信号に基づいて、該パルス変調信号が該第１の値または第２の値である場合には、該第１の値または第２の値をそれぞれ出力し、該パルス変調信号が不定値である場合には、直前に出力した該第１の値または第２の値を出力する補間部とを有する、請求項２に記載のワイヤレス送受信システム。
【請求項４】
前記入力信号が音声信号を含み、
前記受信装置が、前記パルス変調信号を増幅する増幅手段と、該増幅手段からの信号の高周波成分を除去する除去手段と、該除去手段からの信号を音声として再生する再生手段とをさらに有する、請求項１〜３のいずれかに記載のワイヤレス送受信システム。
【請求項５】
前記送信手段が、前記パルス変調手段からのパルス変調信号を変調用信号に基づいて変調する変調手段をさらに有し、
前記復調手段が、前記デジタル復調手段からのパルス変調信号を、復調用信号に基づいて復調する復調手段をさらに有する、請求項１〜４のいずれかに記載のワイヤレス送受信システム。
【請求項６】
前記変調用信号と前記復調用信号とが同期が取られており、
前記変調手段が、前記パルス変調手段からのパルス変調信号と該変調用信号との排他的論理和を演算し、
前記復調手段が、前記デジタル復調手段からのパルス変調信号と該復調用信号との排他的論理和を演算する、請求項５に記載のワイヤレス送受信システム。
【請求項７】
送信装置から、入力信号がパルス変調され、かつ、デジタル変調された信号を受信する受信手段と、
該デジタル変調された信号を、第１の値および第２の値を有するパルス変調信号に復調するデジタル復調手段と、
該デジタル復調手段からのパルス変調信号が該第１の値または第２の値を特定できない不定値である場合、該第１の値または第２の値のうち、直前に出力していた値を出力する補間手段とを有するワイヤレス送受信システムにおける受信装置。
【発明の詳細な説明】
【技術分野】
【０００１】
本発明は、ワイヤレス送受信システムに関し、より詳細には、送受信時にノイズが混入した場合にも、入力信号を正確に再現した音声を再生することができるワイヤレス送受信システムに関する。
【背景技術】
【０００２】
ＣＤプレーヤー等の送信装置からオーディオ信号を無線を使用して送信し、受信装置であるアンプ内蔵スピーカーにより、そのオーディオ信号を受信し、増幅し、音声として再生するワイヤレス送受信システムが提案されている。一般的に、ワイヤレス送受信システムにおける信号の送受信には、アナログ方式またはデジタル方式が採用されており、デジタル方式はアナログ方式に比べて信号の劣化が少ないので、より正確に信号を送受信することができる。
【０００３】
デジタル方式の送受信システムとして、例えば、特許文献１に、スペクトラム拡散方式を採用したワイヤレス送受信システムが記載されている。しかし、一般的に、デジタル方式の送受信システムは、デジタル信号を音声として再生するために、受信装置側にＤＡＣ（digital analog converter）を設ける必要がある。従って、ＤＡＣを設ける必要があるので、システムの回路構成がきわめて複雑になり、かつ、コストが高くなるという問題がある。さらに、デジタル信号を送受信する際に、例えば他の電波が混入する等の原因によって、デジタル信号にノイズが混入したり、信号が欠落したりするという問題がある。すなわち、デジタル信号にノイズが混入する等によって、デジタル信号が「１」であるか「０」であるかを特定できない場合には、受信装置がスピーカーから音声を再生する際に、入力信号（原音）を正確に再現することができないという問題がある。さらに、ワイヤレス送受信システムにおいては、送受信時に第３者によって信号を傍受される可能性があるという問題がある。
【特許文献１】実用新案登録公報第３０７２０５７号
【発明の開示】
【発明が解決しようとする課題】
【０００４】
本発明は上記従来の課題を解決するためになされたものであり、その目的とするところは、回路構成を簡素化でき、かつ、信号送受信時に混入するノイズの影響を低減できるワイヤレス送受信システムを提供することにある。本発明のさらに別の目的は、ワイヤレス送受信システムにおいて、第３者が送受信時の信号を傍受してオーディオ信号を再生することを防止することにある。
【課題を解決するための手段】
【０００５】
本発明の好ましい実施形態におけるワイヤレス送受信システムは、入力信号を、第１の値および第２の値を有するパルス変調信号に変調するパルス変調手段と、該パルス変調信号をデジタル変調するデジタル変調手段と、デジタル変調された信号を受信装置に送信する送信手段とを有する送信装置と、該送信装置から、該デジタル変調された信号を受信する受信手段と、該デジタル変調された信号を該パルス変調信号に復調するデジタル復調手段とを有する受信装置とを備える。
【０００６】
従って、送信装置は入力信号をパルス変調し、デジタル変調して送信する。受信装置は、デジタル変調された信号を、パルス変調信号に復調する。そのため、オーディオ信号をスピーカーで再生するために、受信装置は、デジタル復調手段の後段に除去手段（例えば、ＬＰＦ）を設ければよい。パルス変調信号は、時間軸成分に関してアナログ信号であるので、除去手段によって高周波成分を除去することにより、音声として再生できる滑らかなアナログ信号が生成され得るからである。従って、受信装置がＤＡＣを有する必要がないので、システムの回路構成をきわめて簡素化でき、かつ、コストを低減することができる。さらに、本実施形態のワイヤレス送受信システムをオーディオ装置に採用する場合には、後述するように、スイッチングアンプが設けられる。スッチングアンプを用いることにより、リニアアンプ等を用いる場合に比べて、消費電力をきわめて良好に低減することができる。そのため、一般的にワイヤレス送受信システムにおいてはスピーカーの電源に電池を使用する場合が考えられるが、スイッチングアンプを採用することにより、消費電力を低減することができ、電池の使用可能時間を大幅に増加することができる。
【０００７】
好ましい実施形態においては、上記受信装置は、上記デジタル復調手段からのパルス変調信号が上記第１の値または第２の値を特定できない不定値である場合、上記第１の値または第２の値のうち、直前に出力していた値を出力する補間手段をさらに備える。
【０００８】
従って、信号の送受信の際に（すなわち搬送路において）、ノイズが混入または、信号が欠落した場合にも、受信装置は、直前（１サンプリングクロック前）に出力した第１の値または第２の値を保持して出力することにより、スピーカーから音声を再生する際に、入力信号（原音）をきわめて正確に再現して音声を再生することができる。さらに、例えば、１サンプリングクロックのノイズが混入したとしても、１サンプリング周期（例えば、ＰＷＭの場合には、「１」および「０」のパルスの１周期）と比べると、そのノイズが混入した期間はきわめて短い。そのため、仮に補間した値が誤った第１の値または第２の値であったとしても、再生される音声に対する影響（本来再生されるべき音声との誤差）をきわめて低減することができ、入力信号をきわめて正確に再現して音声を再生することができる。
【０００９】
好ましい実施形態においては、上記補間手段は、上記デジタル復調手段からのパルス変調信号が上記第１の値、第２の値または不定値のいずれであるかを特定する第１の特定信号および第２の特定信号を生成する特定部と、該第１の特定信号および該第２の特定信号に基づいて、該パルス変調信号が該第１の値または第２の値である場合には、該第１の値または第２の値をそれぞれ出力し、該パルス変調信号が不定値である場合には、直前に出力した該第１の値または第２の値を出力する補間部とを有する。
【００１０】
従って、特定部が、第１の特定信号および第２の特定信号を生成することにより、補間部は、デジタル復調手段が復調した信号が第１の値、第２の値または不定値のいずれであるかを特定することができる。すなわち、補間部は、第１の特定信号および第２の特定信号に基づいて、デジタル復調手段が復調した信号が不定値である場合には、直前に出力した第１の値または第２の値をそのまま保持して出力することにより、不定値を補間することができる。
【００１１】
好ましい実施形態においては、上記入力信号は音声信号を含み、上記受信装置は、上記パルス変調信号を増幅する増幅手段と、該増幅手段からの信号の高周波成分を除去する除去手段と、該除去手段からの信号を音声として再生する再生手段とをさらに有する。
【００１２】
従って、受信装置は、送信装置から受信した信号を、電力増幅（スイッチング増幅）して、高周波成分を除去して、音声として再生することができる。オーディオ信号をパルス変調し、デジタル変調した信号を送受信することにより、オーディオ信号が再生される際に、オーディオ信号を正確に再現した音声を再生することができ、音質を向上できる。第１の値および第２の値を有するパルス変調信号をデジタル変調するためには、パラメータ（例えば、位相等）が異なる搬送波を２種類のみ使用すればよいので、ノイズの混入や受信エラー等をきわめて良好に低減できるからである。さらに、パルス変調信号を送受信しているので、増幅手段はスイッチングアンプを採用することができる。従って、増幅手段の消費電力をきわめて良好に低減することができ、スピーカーの電源に電池を採用する場合には、電池の使用可能時間を大幅に増加することができる。
【００１３】
好ましい実施形態においては、上記送信手段は、上記パルス変調手段からのパルス変調信号を変調用信号に基づいて変調する変調手段をさらに有し、上記復調手段は、上記デジタル復調手段からのパルス変調信号を、復調用信号に基づいて復調する復調手段をさらに有する。
【００１４】
従って、送信装置は、変調手段が変調用信号に基づいて変調した信号を受信装置に送信するので、信号の送受信中に第３者に信号を傍受されたとしても、第３者は復調用信号を有していないので、当該信号を再生して正確なオーディオ信号を得ることができない。すなわち、仮に、第３者が信号を傍受し、再生したとしても、ノイズが再生されるだけである。従って、第３者が送受信中の信号を傍受し再生することを防止することができる。
【００１５】
好ましい実施形態においては、上記変調用信号と上記復調用信号とは同期が取られており、上記変調手段は、上記パルス変調手段からのパルス変調信号と該変調用信号との排他的論理和を演算し、上記復調手段は、上記デジタル復調手段からのパルス変調信号と該復調用信号との排他的論理和を演算する。
【００１６】
従って、変調手段は、パルス変調信号と変調用信号との排他的論理和を演算することにより、パルス変調信号を変調することができる。さらに、復調手段は、パルス変調信号と、変調用信号と同期の取られた復調用信号との排他的論理和を演算することにより、元の（送信装置が生成するパルス変調信号と同一の）パルス変調信号に復調することができる。
【００１７】
本発明の別の局面においては、ワイヤレス送受信システムにおける受信装置が提供され得る。この受信装置は、送信装置から、入力信号がパルス変調され、かつ、デジタル変調された信号を受信する受信手段と、該デジタル変調された信号を、第１の値および第２の値を有するパルス変調信号に復調するデジタル復調手段と、該デジタル復調手段からのパルス変調信号が該第１の値または第２の値を特定できない不定値である場合、該第１の値または第２の値のうち、直前に出力していた値を出力する補間手段とを有する。
【発明の効果】
【００１８】
本発明のワイヤレス送受信システムは、パルス変調信号をデジタル変調して送受信するので、受信装置側にＤＡＣを設ける必要がなく、回路構成を簡素化でき、かつ、コストを低減することができる。
【発明を実施するための最良の形態】
【００１９】
以下、本発明の好ましい実施形態について、図面を参照して具体的に説明するが、本発明はこれらの実施形態には限定されない。図１および図２は、本発明の好ましい実施形態によるワイヤレス送受信システム１を示すブロック図である。ワイヤレス送受信システム１は、図１に示す送信装置１０および図２に示す受信装置２０を備える。図３は、ワイヤレス送受信システム１の動作を示すタイミングチャートである。図３（ａ）〜（ｉ）は、各々、図１および図２の各位置における信号波形を示している。
【００２０】
図１を参照して、送信装置１０は、パルス変調手段１１、デジタル変調手段１３、および送信手段１４を有する。送信装置１０は、必要に応じて、サンプリング手段１２をさらに有する。
【００２１】
パルス変調手段１１は、入力端子１２から入力される入力信号（例えば、オーディオ信号）を第１の値および第２の値を有するパルス変調信号にパルス変調する。第１の値および第２の値を有するパルス変調信号は、代表的には、パルス幅変調（Pulse Width Modulation）信号、パルス密度変調（Pulse Duration Modulation）信号、またはパルス周波数変調（Pulse Frequency Modulation）信号が採用され得る。すなわち、パルス変調手段１１は、例えば、パルス幅変調（ＰＷＭ）回路、パルス密度変調（ＰＤＭ）回路またはパルス周波数変調（ＰＦＭ）回路を含む。好ましくは、ＰＷＭ信号（すなわち、ＰＷＭ回路）が採用され得る。ＰＷＭによれば、パルスの周期が後述するサンプリングクロックの周期と比べて、きわめて大きいので、送受信によって数サンプリングクロック分のデータが欠落したとしても、再生される音声に対する影響はきわめて小さく、入力信号をより正確に音声として再現できるからである。例えば、第１の値および第２の値は、それぞれ「１」および「０」である。ＰＷＭ回路１１は、比較信号生成回路１５および比較回路１６を含む。比較信号生成回路１５は、図３（ａ）のａ２に示すように、所定周期を有する比較信号（例えば、三角波またはのこぎり波）を生成し、比較回路１６に与える。比較回路１６は、入力信号ａ１および比較信号ａ２が与えられ、入力信号ａ１と比較信号ａ２との振幅値を比較して、ＰＷＭ信号を出力する。詳細には、図３（ｂ）を参照して、入力信号ａ１が比較信号ａ２より大きい場合には「１」であり、入力信号ａ１が比較信号ａ２より小さい場合には「０」であるＰＷＭ信号を生成する。なお、ＰＷＭ信号の周波数は入力信号をより正確に再現できる周波数が採用され得る。
【００２２】
サンプリング手段１２（代表的には、サンプリング回路）は、ＰＷＭ回路１１からＰＷＭ信号が与えられ、ＰＷＭ信号を所定のサンプリングクロックでサンプリングする。すなわち、サンプリング回路１２は、時間軸においてアナログ値であるＰＷＭ信号を、時間軸においてデジタル値（離散値）であるデジタル信号に変換する。好ましくは、サンプリングクロックの周波数は、ＰＷＭ信号の周波数と比べると非常に高い。送受信によって数サンプリングクロック分のデータが欠落したとしても、再生される音声に対する影響をきわめて小さくでき、入力信号をより正確に音声として再現できるからである。サンプリング回路１２によってサンプリングした信号を送受信することにより、送受信時にノイズが混入した場合に、そのノイズが混入したサンプリングクロックの期間のみを補間すればよいので、きわめて容易にノイズが混入した期間を補間することができる。
【００２３】
デジタル変調手段１３は、サンプリング回路１２からの信号が与えられ、当該信号をデジタル変調する。デジタル変調手段１３は、代表的には、デジタル変調回路を含む。デジタル変調回路１３は、搬送波のパラメータを変化させることにより、離散的なデジタル信号の情報を搬送波に乗せて出力する。デジタル変調回路１３は、ＰＳＫ（Phase Shift Keying）、ＡＳＫ（Amplitude Shift Keying）、ＦＳＫ（Frequency Shift Keying）など任意の適切な方式が作用され得るが、本例では、ＰＳＫの場合を説明する。ＰＳＫは、搬送波の位相を変化させることにより、デジタル信号の情報を搬送波に乗せて出力する。本例では、入力信号をパルス変調した信号を、ＰＳＫ方式により変調しているので、１種類の周波数および２種類の（「１」および「０」に対応）位相のみを有する搬送波を使用すればデジタル信号を送信することができる。従って、搬送波の種類が２種類でよいので、送受信がきわめて容易になり、かつ、受信エラーをきわめて良好に低減できる。詳細には、図３（ｃ）を参照して、ＰＷＭ信号が「１」である期間Ｔ２およびＴ４と、ＰＷＭ信号が「０」である期間Ｔ１およびＴ３とが、それぞれ位相が例えば１８０度ずれた信号に変調する。
【００２４】
送信手段１４は、デジタル変調回路１３がデジタル変調した信号を受信装置２０に送信する。
【００２５】
次に、受信装置２０について説明する。図２を参照して、受信装置２０は、受信手段２１およびデジタル復調手段２２を有する。受信装置２０は、必要に応じて、補間手段２３、増幅手段２４、除去手段２５および再生手段２６をさらに有する。
【００２６】
受信手段２１は、送信装置１０からデジタル変調された信号を受信し、デジタル復調手段２２に与える。
【００２７】
デジタル復調手段２２は、図３（ｄ）を参照して、デジタル変調された信号をデジタル復調し、パルス変調信号（本例では、ＰＷＭ信号）に復調する。ここで、図３（ｄ）を参照して、復調したＰＷＭ信号は、例えば期間Ｔ２、および期間Ｔ３とＴ４とにまたがるパルスの立上り部において、不定値を含んでいる。不定値とは、例えば、送信装置１０から受信装置２０に信号を送受信する際に（すなわち、搬送路において）、ノイズが混入または信号が欠落したために、デジタル復調した際に「１」であるか「０」であるかを特定できない値である。ここで、ノイズは、搬送波の位相および周波数とは異なる位相および周波数を有する信号である。
【００２８】
デジタル復調手段２２は、さらに、図３（ｆ）を参照して、デジタル変調された信号が復調された際に、不定値となる値（サンプリングクロック）を特定するための不定値特定信号を生成する。不定値特定信号は、受信した信号の周波数および位相を調べることによって生成され得る。すなわち、搬送波の周波数および位相とは異なる周波数および位相を有する信号を検出した場合には、その信号がデジタル復調されたとき不定値となることが特定され得る。あるいは、受信した信号が欠落していることを検出した場合にも、その信号がデジタル復調されたとき不定値となることが特定され得る。具体的には、図３（ｆ）を参照して、デジタル変調された信号が復調された際に、「１」または「０」となることを特定した場合には「１」であり、デジタル変調された信号が復調された際に、不定値となることを特定した場合には「０」である不定値特定信号を生成する。
【００２９】
補間手段２３は、受信装置２０が受信した信号がノイズを含むまたは信号が欠落している場合に、そのノイズを含むまたは信号が欠落している値（サンプリングクロック）を、第１の値または第２の値で補間する。すなわち、補間手段２３は、デジタル復調回路２２からのＰＷＭ信号が「１」または「０」を特定できない不定値である場合に、「１」または「０」のうち自身が直前（１サンプリングクロック前）に出力していた値を保持して出力する。補間手段２３は、特定部２７と補間部２８とを含む。
【００３０】
特定部２７は、図３（ｇ）および（ｈ）を参照して、デジタル復調回路２２からのＰＷＭ信号が「１」、「０」または不定値のいずれであるかを特定するための第１の特定信号ｇおよび第２の特定信号ｈを生成する。特定部２７は、例えば、ＡＮＤ回路２９、３０およびインバータ回路３１を含む。ＡＮＤ回路２９はデジタル復調回路２２からのＰＷＭ信号ｄおよび不定値特定信号ｆを受けて、これらの論理積を演算することにより、第１の特定信号ｇを生成する。ＡＮＤ回路３０は、デジタル復調回路２２からのＰＷＭ信号ｄをインバータ回路３１で反転した信号ｅおよび不定値特定信号ｆを受けて、これらの論理積を演算することにより、第２の特定信号ｈを生成する。詳細には、図４を参照して、デジタル復調回路２２からのＰＷＭ信号ｄが「１」である場合に、第１の特定信号ｇは「１」であり、第２の特定信号ｈは「０」である。一方、ＰＷＭ信号ｄが「０」である場合に、第１の特定信号ｇは「０」であり、第２の特定信号ｈは「１」である。さらに、ＰＷＭ信号ｄが不定値である場合に、第１の特定信号ｇおよび第２の特定信号ｈは共に「０」である。
【００３１】
補間部２８は、特定部２７から第１の特定信号ｇおよび第２の特定信号ｈを受けて、不定値を「１」または「０」に補間したＰＷＭ信号ｉを生成する。すなわち、補間部２８は、特定部２７からの第１の特定信号ｇおよび第２の特定信号ｈに基づいて、ＰＷＭ信号ｄが「１」または「０」である場合には、そのまま「１」または「０」を出力する。一方、ＰＷＭ信号ｄが不定値である場合には、「１」または「０」のうち自身が直前に出力していた値を保持して出力する。補間部２８は、例えば、ＪＫ−フリップフロップ（以下、ＪＫ−ＦＦ）回路を含む。ＪＫ−ＦＦ回路２８のＪ端子には第１の特定信号ｇが与えられ、Ｋ端子には第２の特定信号ｈが与えられる。図５に示すＪＫ−ＦＦ回路の真理値表を参照して、ＪＫ−ＦＦ回路２８は、Ｊ端子へ与えられる第１の特定信号ｇが「１」、Ｋ端子へ与えられる第２の特定信号ｈが「０」である（すなわち、ＰＷＭ信号ｄが「１」である）場合に、Ｑ端子から「１」を出力する。一方、Ｊ端子へ与えられる第１の特定信号ｇが「０」、Ｋ端子へ与えられる第２の特定信号ｈが「１」である（すなわち、ＰＷＭ信号ｄが「０」である）場合に、Ｑ端子から「０」を出力する。さらに、Ｊ端子へ与えられる第１の特定信号ｇが「０」、Ｋ端子へ与えられる第２の特定信号ｈが「０」である（すなわち、ＰＷＭ信号ｄが不定値である）場合に、Ｑ端子から、直前に出力した「０」または「１」をそのまま保持して出力することができる。従って、ＪＫ−ＦＦ回路２８は、図３（ｉ）を参照して、不定値を直前に出力した「０」または「１」で補間した信号を出力することができる。すなわち、期間Ｔ２における不定値については、その１サンプリングクロック前の値が「１」であるので、「１」を出力し、期間Ｔ３およびＴ４にまたがる不定値については、その１サンプリングクロック前の値が「０」であるので、「０」を出力する。なお、不定値が２以上のサンプリングクロック継続した場合にも、その直前に正常に出力した「１」または「０」を保持して出力する。
【００３２】
増幅手段２４は、補間手段２３から、ＰＷＭ信号を受けて、ＰＷＭ信号を増幅する。増幅手段２４は、例えば、通常用いられる２つまたは４つのスイッチング素子（例えば、ＭＯＳ−ＦＥＴ等）が接続された構成を有するスイッチングアンプ（Ｄ級アンプ）が採用され得る（図示せず）。
【００３３】
除去手段２５は、増幅手段２４からＰＷＭ信号を受けて、ＰＷＭ信号から高周波成分を除去する。除去手段２５は、例えば、ＬＰＦ（Low Pass Filter）が採用され得る。除去手段２５が高周波成分を除去することにより、後述する再生手段２６が再生することができる滑らかアナログ信号を生成することができる。すなわち、除去手段２５は、デジタル信号であるＰＷＭ信号をアナログ信号に変換する役割をさらに有している。ＬＰＦ２５は、代表的には、コイルおよびコンデンサの結合回路を含む（図示せず）。もしくは、除去手段２５は、後述するスピーカー２６に含まれてもよい。
【００３４】
再生手段２６は、除去手段２５から高周波成分が除去されたアナログ信号を受けて、音声として再生する。再生手段２６は、代表的には、スピーカー、ヘッドフォン、イヤフォン等が採用され得る。
【００３５】
以上のように、オーディオ信号をパルス変調し、デジタル変調した信号を送受信しているので、音声を再生する際に、入力信号を正確に再現した音声を再生することができる。さらに、増幅手段としてスイッチングアンプを使用することができるので、消費電力を低減することができる。さらに、デジタル復調回路２２が復調したＰＷＭ信号に不定値が含まれている場合に、直前に出力した「０」または「１」をそのまま保持してＰＷＭ信号を出力するので、スピーカーからは入力信号をきわめて正確に再現した音声を再生することができる。しかも、パルス変調手段としてＰＷＭ回路を使用することにより、パルスの周期と比べて、不定値の期間はきわめて小さい。したがって、直前に出力した「０」または「１」で不定値を補間した場合に、仮に正確な値とは逆の値で誤って補間してしまったとしても、その期間はＰＷＭ信号の周期と比べてきわめて小さいので、入力信号をきわめて正確に再現した音声を再生することができる。
【００３６】
次に、本発明の別の好ましい実施形態によるワイヤレス送受信システムについて、図６〜図８を参照して説明する。図６は、本実施形態の送信装置６０を示すブロック図であり、図７は、本実施形態の受信装置７０を示すブロック図であり、図８は、本実施形態の動作を示すタイミングチャートである。なお、図１および図２と同一部分には同一符号を付し、説明を省略する。
【００３７】
送信装置６０は、変調手段６１をさらに有する。変調手段６１は、パルス変調手段１１（あるいは、サンプリング回路を有する場合には、サンプリング回路１２）からパルス変調信号（例えば、ＰＷＭ信号）が与えられ、変調用信号ｃを用いて当該ＰＷＭ信号を変調する。変調手段６１は、変調用信号生成回路６２および変調回路６３を含む。変調用信号生成回路６２は、パルス変調手段１１からのＰＷＭ信号ｂを変調するための変調用信号ｃを生成し、変調回路６３に与える。変調用信号ｃは、図８（ｃ）に示すとおり、第１の値（例えば「１」）および第２の値（例えば「０」）を有するパルス信号である。好ましくは、変調用信号ｃは、所定の周期Ｔを有する。すなわち、１周期Ｔは、複数のビットからなる（例えば、７ビットで、「１」、「１」、「０」、「１」、「０」、「０」、「１」）。当該ビットのクロックの周波数は、ＰＷＭ信号ｂの周波数よりも高い。さらに、変調用信号ｃの１周期Ｔにおけるビット数が多い方が、第３者によって信号が復調される可能性を低くすることができる。
【００３８】
変調回路６３は、パルス変調手段１１からＰＷＭ信号ｂが与えられ、当該ＰＷＭ信号ｂを、変調用信号ｃを用いて変調する。詳細には、変調回路６３は、図示しないＥＸ−ＯＲ（exclusive-or）回路を有し、ＰＷＭ信号ｂと変調用信号ｃとの排他的論理和（exclusive-or）を演算し、図８（ｄ）に示す信号を生成する。送信装置６０は、ＰＷＭ信号ｂと変調用信号ｃとの排他的論理和を演算することにより、元のＰＷＭ信号ｂとは異なるＰＷＭ信号ｄに変調して送信する。そのため、第３者が仮にＰＷＭ信号ｄを傍受したとしても、第３者は変調手段で変調されたＰＷＭ信号ｄを復調する復調用信号を有していないので、復調して正確なオーディオ信号を再生することはできない。なお、以後の動作は、前の実施例と同じであるので、説明を省略する。
【００３９】
受信装置７０は、復調手段７１をさらに有する。復調手段７１は、デジタル復調手段２２からデジタル復調された信号ｅを受けて、当該信号を復調用信号ｆを用いて復調する。復調手段７１は、復調用信号生成回路７２および復調回路７３を含む。復調用信号生成回路７２は、デジタル復調手段２２からの信号ｅを復調するための復調用信号ｆを生成し、復調回路７３に与える。復調用信号ｆは、図８（ｆ）に示すとおり、変調用信号生成回路６２が生成する変調用信号ｃと同期が取られている。すなわち、復調用信号ｆは、好ましくは、所定の周期Ｔを有する。１周期Ｔは、例えば、複数の（例えば７つの）ビットからなり、変調用信号ｃと同様に、「１」、「１」、「０」、「１」、「０」、「０」、「１」である。すなわち、復調用信号ｆは、ＰＷＭ信号の所定のビットについて、変調用信号ｃの値（すなわち、「１」または「０」）と同一の値を有する。復調用信号ｆ（変調用信号ｃ）が所定の周期を有することにより、復調用信号生成回路７２（変調用信号生成回路６２）は、復調用信号（変調用信号）の１周期分を記憶していて、これらを繰り返して出力することにより、復調用信号（変調用信号）を連続して生成することができる。さらに、変調用信号ｃと復調用信号ｆとを同期させる際に、各周期の最初のビットのみを同期させれば、１周期の全てのビットを同期させることができる。
【００４０】
復調回路７３は、デジタル復調手段２２から信号ｅが与えられ、当該信号ｅを、復調用信号ｆを用いて復調する。詳細には、復調回路７３は、図示しないＥＸ−ＯＲ（exclusive-or）回路を有し、デジタル復調された信号ｅと復調用信号ｆとの排他的論理和（exclusive-or）を演算し、図８（ｇ）に示す信号を生成する。図８（ｄ）および（ｇ）に示すとおり、ＰＷＭ信号ｂと変調用信号ｃとの排他的論理和を演算することにより変調した信号ｄに対して、変調用信号ｃと同期の取られた復調用信号ｆとの排他的論理和をさらに演算することにより、変調前のＰＷＭ信号を得ることができる。このように、復調回路７３がデジタル復調手段２２からの信号を復調することにより、変調回路６１で変調した信号を元のＰＷＭ信号に復調することができる。なお、以後の動作は、前の実施形態と同じであるので、説明を省略する。
【００４１】
以上のように、本実施形態によるワイヤレス送受信システムによれば、送信装置が変調用信号を用いてＰＷＭ信号を変調し、受信装置が復調用信号を用いてデジタル復調手段からの信号を復調する。従って、送信装置から送信される信号を第３者が仮に傍受したとしても、第３者は復調用信号を有していないので、傍受した信号を復調し、オーディオ信号を正確に再生することができない。なお、本実施形態において、前の実施形態と同様に、補間手段２３をさらに備えていてもよい。この場合、補間手段２３は、例えば、復調手段７１の後段に設けられる。
【００４２】
以上、本発明の好ましい実施形態について説明したが、本発明はこれらの実施形態には限定されない。補間手段２３は、本実施形態の構成に限定されず、不定値を「０」または「１」で補完する構成であれば、特に限定されない。さらに、パルス変調信号の第１の値または第２値は、「ＨＩＧＨ」または「ＬＯＷ」と表現してもよい。
【産業上の利用可能性】
【００４３】
本発明は、例えば、複数の、スイッチングアンプ内蔵スピーカー（受信装置）を部屋の所定位置に配置し、ＤＶＤプレーヤー（送信装置）からのオーディオ信号を各スピーカーに送信して、各スピーカーがそのオーディオ信号を再生するホームシアターシステム等に特に好適に採用され得る。
【図面の簡単な説明】
【００４４】
【図１】本発明の好ましい実施形態によるワイヤレス送受信システムにおける送信装置を示すブロック図である。
【図２】本発明の好ましい実施形態によるワイヤレス送受信システムにおける受信装置を示すブロック図である。
【図３】本発明の好ましい実施形態によるワイヤレス送受信システムの動作を示すタイミングチャートである。
【図４】特定部２７が出力する第１および第２の特定信号を説明する表である。
【図５】フリップフロップ回路２９の真理値表である。
【図６】本発明の別の好ましい実施形態によるワイヤレス送受信システムにおける送信装置を示すブロック図である。
【図７】本発明の別の好ましい実施形態によるワイヤレス送受信システムにおける受信装置を示すブロック図である。
【図８】本発明の別の好ましい実施形態によるワイヤレス送受信システムの動作を示すタイミングチャートである。
【符号の説明】
【００４５】
１      ワイヤレス送受信システム
１０    送信装置
１１    パルス変調手段
１３    デジタル変調手段
２０    受信装置
２２    デジタル復調手段
２３    補間手段
２４    増幅手段
２５    除去手段
２６    再生手段
【図１】
2005142695.tif 000003
【図２】
2005142695.tif 000004
【図３】
2005142695.tif 000005
【図４】
2005142695.tif 000006
【図５】
2005142695.tif 000007
【図６】
2005142695.tif 000008
【図７】
2005142695.tif 000009
【図８】
2005142695.tif 000010